(57)【要約】【課題】操作者による電力系統設備の操作内容が正しいか否か操作者に通知でき、電力供給の信頼度の向上を図ることができる電力系統監視制御装置を提供することである。【解決手段】監視制御の対象となる電力系統の開閉器操作の前に操作対象の開閉器を操作者が音声で指示する音声入力手段１４と、音声入力手段で入力された音声を音声入力開閉器情報として認識する音声情報認識手段１５と、操作対象の開閉器を操作画面より選択する系統操作入力手段１１と、系統操作入力手段により入力されたデータを操作開閉器情報として認識する系統操作認識手段１２と、音声情報認識手段で音声で認識した音声入力開閉器情報と系統操作認識手段で認識された操作開閉器情報とが一致するか否かを判断する操作内容判断手段１７と、操作内容判断手段の判断結果を通知する通知手段１８とを備える。【選択図】  図１
2010142024.tif 000002
【特許請求の範囲】
【請求項１】
電力系統を監視制御する電力系統監視制御装置において、監視制御の対象となる電力系統の開閉器操作の前に操作対象の開閉器を操作者が音声で指示する音声入力手段と、前記音声入力手段で入力された音声を音声入力開閉器情報として認識する音声情報認識手段と、操作対象の開閉器を操作画面より選択する系統操作入力手段と、前記系統操作入力手段により入力されたデータを操作開閉器情報として認識する系統操作認識手段と、前記音声情報認識手段で音声で認識した音声入力開閉器情報と前記系統操作認識手段で認識された操作開閉器情報とが一致するか否かを判断する操作内容判断手段と、前記操作内容判断手段の判断結果を通知する通知手段とを備えたことを特徴とする電力系統監視制御装置。
【請求項２】
前記操作内容判断手段にて前記音声情報認識手段で音声で認識した音声入力開閉器情報と前記系統操作認識手段で認識された操作開閉器情報とが一致したと判断されたときその操作開閉器情報で系統操作を模擬する模擬実行手段と、前記模擬実行手段で模擬した結果を音声でガイドメッセージを出力する音声出力手段とを備えたことを特徴とする請求項１記載の電力系統監視制御装置。
【請求項３】
電力系統を監視制御する電力系統監視制御装置において、監視制御の対象となる電力系統の作業計画された開閉器操作手順の実行前に操作手順画面より開閉器操作手順の入力を行う開閉器操作手順入力手段と、前記開閉器操作手順入力手段で入力された開閉器操作手順による系統操作を模擬する開閉器操作手順模擬実行手段と、前記開閉器操作手順模擬実行手段で模擬した結果を音声でガイドメッセージを出力する音声出力手段とを備えたことを特徴とする電力系統監視制御装置。
【請求項４】
電力系統を監視制御する電力系統監視制御装置において、操作対象の開閉器を操作画面より選択する系統操作入力手段と、前記系統操作入力手段により入力されたデータを認識する系統操作認識手段と、現場作業員が操作対象の開閉器を音声で指示する無線音声入力手段と、前記無線音声入力手段で入力された音声から現場作業員による操作対象の開閉器に関する指示事項を抽出する無線指示事項抽出手段と、前記無線指示事項抽出手段で抽出した操作対象の開閉器の操作内容をオペレーション変換データに変換するオペレーション変換手段と、前記系統操作認識手段で認識された操作開閉器情報とオペレーション変換手段で変換されたオペレーション変換データとが一致するか否かを判断する操作内容判断手段と、前記操作内容判断手段の判断結果を通知する通知手段とを備えたことを特徴とする電力系統監視制御装置
【請求項５】
電力系統を監視制御する電力系統監視制御装置において、監視制御の対象となる電力系統の開閉器操作の前に操作対象の開閉器を操作者が音声で指示する音声入力手段と、前記音声入力手段で入力された音声を音声入力開閉器情報として認識する音声情報認識手段と、現場作業員が操作対象の開閉器を音声で指示する無線音声入力手段と、前記無線音声入力手段で入力された音声から現場作業員による操作対象の開閉器に関する指示事項を抽出する無線指示事項抽出手段と、前記無線指示事項抽出手段で抽出した操作対象の開閉器の操作内容をオペレーション変換データに変換するオペレーション変換手段と、前記音声情報認識手段で認識された音声入力開閉器情報とオペレーション変換手段で変換されたオペレーション変換データとが一致するか否かを判断する操作内容判断手段と、前記操作内容判断手段の判断結果を通知する通知手段とを備えたことを特徴とする電力系統監視制御装置
【請求項６】
電力系統を監視制御する電力系統監視制御装置において、監視制御の対象となる電力系統の開閉器操作の前に操作対象の開閉器を操作者が音声で指示する音声入力手段と、前記音声入力手段で入力された音声を音声入力開閉器情報として認識する音声情報認識手段と、操作者が発する音声を認識した結果を基に前記開閉器の各操作指示項目毎に実行可否を判断するための音声認識実行可否判定データを登録するための音声認識実行可否判定データベース登録手段と、前記音声認識実行可否判定データに基づいて前記開閉器の各操作指示項目における実行可否を判断するための音声認識実行可否判定処理有効無効データを設定するための音声認識実行可否判定処理有効無効設定手段と、前記音声認識実行可否判定データ及び前記音声認識実行可否判定処理有効無効データに基づいて前記音声情報認識手段で認識された音声入力開閉器情報の事項の可否判断を行う操作内容判断手段と、前記操作内容判断手段の判断結果を通知する通知手段とを備えたことを特徴とする電力系統監視制御装置。
【発明の詳細な説明】
【技術分野】
【０００１】
本発明は、電力系統を監視制御する電力系統監視制御装置に関する。
【背景技術】
【０００２】
電力系統監視制御装置は、電力系統を構成する種々の設備及びその接続状態も含めた各種情報を電力系統データベースとして有し、これを用いた電力系統の現在状態の監視やその監視結果を基に各種電力系統設備を制御している。このような電力系統監視制御装置において、監視制御の対象となる各種電力系統設備を遠方操作する際に、操作者が操作画面から得られる電力系統設備の情報を視認するだけで実行可能となっている。
【０００３】
ここで、制御所からの操作指令に従い、遠隔の電気所に設置された遮断器等を現地で直接操作する場合において、誤操作の発生を極力防止できるようにしたものがある（例えば、特許文献１参照）。これは、携帯端末から送信された音声データ又はコード情報を解析し、解析した内容が事前に携帯端末を介して現地設備運用責任者に通知した操作指令の内容と一致するか否かを判断し、聞き間違い等の人的なミスを排除し誤操作防止の確実性を向上させたものである。
【特許文献１】特開２００６−２７０３６７号公報
【発明の開示】
【発明が解決しようとする課題】
【０００４】
しかし、従来のものでは、制御所からの操作指令に従い、遠隔の電気所に設置された遮断器等を現地で直接操作する場合に、聞き間違い等の人的なミスを排除でき誤操作防止の確実性が向上できるが、実際に操作するための操作画面上で操作機器を選択した場合には誤操作を防止することができない。
【０００５】
このため、操作者の思い込みや勘違いといった過誤が原因で、操作対象とは異なる電力系統設備の機器を操作画面上で選択してしまった場合には、操作機器の誤操作となり、電力供給の信頼度の低下を招く恐れがあった。
【０００６】
本発明の目的は、操作者による電力系統設備の操作内容が正しいか否か操作者に通知でき、電力供給の信頼度の向上を図ることができる電力系統監視制御装置を提供することである。
【課題を解決するための手段】
【０００７】
本発明に係わる電力系統監視制御装置は、電力系統を監視制御する電力系統監視制御装置において、監視制御の対象となる電力系統の開閉器操作の前に操作対象の開閉器を操作者が音声で指示する音声入力手段と、前記音声入力手段で入力された音声を音声入力開閉器情報として認識する音声情報認識手段と、操作対象の開閉器を操作画面より選択する系統操作入力手段と、前記系統操作入力手段により入力されたデータを操作開閉器情報として認識する系統操作認識手段と、前記音声情報認識手段で音声で認識した音声入力開閉器情報と前記系統操作認識手段で認識された操作開閉器情報とが一致するか否かを判断する操作内容判断手段と、前記操作内容判断手段の判断結果を通知する通知手段とを備えたことを特徴とする。
【発明の効果】
【０００８】
本発明によれば、操作者による電力系統設備の操作内容が正しいか否か操作者に通知でき、電力供給の信頼度の向上を図ることができる。
【発明を実施するための最良の形態】
【０００９】
図１は本発明の第１の実施の形態に係わる電力系統監視制御装置の一例の構成図である。図１では操作者の誤操作を防止する部分のみを示している。この第１の実施の形態は、監視制御の対象となる各種電力系統設備を遠方操作する際に発せられる操作者の指差し呼称音声と、操作者が操作画面から入力する情報とを照合して、合致しない場合には操作を許可しないようにし、供給信頼度の向上を図ったものである。
【００１０】
系統操作入力手段１１は操作対象の開閉器を操作画面より選択するものであり、系統操作認識手段１２は系統操作入力手段１１により入力されたデータを操作開閉器情報として認識するものである。系統操作認識手段１２で認識された操作開閉器情報は操作開閉器情報記憶部１３に記憶される。
【００１１】
一方、音声入力手段１４は監視制御の対象となる電力系統の開閉器操作の前に操作対象の開閉器を操作者が音声で指示するものであり、音声情報認識手段１５は音声入力手段１４で入力された音声を音声入力開閉器情報として認識するものである。音声情報認識手段１５で認識された音声入力開閉器情報は音声入力開閉器情報記憶部１６に記憶される。操作内容判断手段１７は音声情報認識手段１４で音声で認識した音声入力開閉器情報と系統操作認識手段１２で認識された操作開閉器情報とが一致するか否かを判断し、その判断結果を通知手段１８に出力する。通知手段１８は、例えば表示装置や音声出力装置で構成され、操作内容判断手段１７の判断結果を操作者に通知する。これにより、操作者は、配電系統の開閉器操作における開閉器選択情報と、オペレ−タが音声で指示した開閉器に矛盾がないことを判断する。
【００１２】
このように、配電系統で開閉器操作を実施するにあたり、まず、音声入力手段１４で開閉器選択を音声で指示した内容を取り込み、音声情報認識手段１５でどの開閉器を選択したかを認識し、認識した開閉器を音声入力開閉器情報データ記憶部１６に保存する。次に、操作者により選択された開閉器情報を系統操作入力手段１１で取り込み、系統操作認識手段１２により選択された開閉器を認識し、その認識した開閉器情報を操作開閉器情報記憶部１３へ保存する。そして、操作内容判断手段１７で音声入力開閉器情報データ記憶部１６の保存データと、操作開閉器情報１３の保存データとの比較を行う。比較の結果、例えば、不一致で有れば不一致情報を警報として通知手段１８に通知する。
【００１３】
第１の実施の形態によれば、操作者が操作しようとしている開閉器を音声入力で認識させることにより、オペレーションで操作した開閉器が異なれば、不一致情報を検出することができる。そして、その旨が通知手段１８により操作者へ通知されるので、操作ミスによる誤操作のヒューマンエラーを防ぐことが可能となる。すなわち、監視制御の対象となる電力系統で開閉器操作を実施した場合に、操作者が意図している開閉器と実際に選択を実施した開閉器とが異なった場合に誤操作を回避でき、配電系統操作の信頼度を向上させることができる。
【００１４】
図２は本発明の第２の実施の形態に係わる電力系統監視制御装置の一例の構成図であり、図２では操作者の誤操作を防止する部分のみを示している。この第２の実施の形態は、図１に示した第１の実施の形態に対し、通知手段１８に代えて、模擬実行手段１９、配電系統データベース記憶部２０、音声出力手段２１、音声出力パターンデータ記憶部２２を設けたものである。図１と同一要素には、同一符号を付し重複する説明は省略する。
【００１５】
模擬実行手段１９は、操作内容判断手段１７が音声入力開閉器情報と操作開閉器情報とが一致したと判断したとき、その操作開閉器情報に基づき系統操作を模擬する。配電系統データベース記憶部２０には配電系統の系統構成や機器配置や機器の容量などの配電系統データが記憶されており、模擬実行手段１９は、配電系統データベース記憶部２０の配電系統データ及び操作開閉器情報に基づき、系統操作を模擬する。模擬実行手段１９で模擬した結果は音声出力手段２１に出力される。音声出力手段２１は音声出力パターンデータ記憶部２２に記憶された出力パターンから該当する出力パターンを取り出し、音声でガイドメッセージを出力する。
【００１６】
図３は音声出力パターンデータ記憶部２２に記憶された出力パターンの一例の説明図である。図３に示すように、例えば、開閉器の操作が停電操作である場合には、操作後の状態として「停電操作です」を音声出力する。これにより、配電系統の系統操作において、操作者が操作したいと認識している系統操作に矛盾がないことを音声出力により操作者へ通知できる。
【００１７】
すなわち、操作内容判断手段１７の判断で、音声入力開閉器情報と操作開閉器情報とが一致したと判断されたときは、模擬実行手段１９は、その開閉器の現在状態より、配電系統データベース記憶部２０の配電系統データを使用し、系統操作を模擬する。例えば、開閉器の入切制御を模擬実行する。そして、音声出力手段２１は、その開閉器操作が停電操作やループ操作など音声出力パターンデータ記憶部２２の出力パターンに一致する出力パターンを検出した場合は、音声出力で操作者へ系統操作内容を通知する。
【００１８】
第２の実施の形態によれば、操作者が操作しようとしている系統操作の模擬実行結果をガイドメッセージの音声で出力するので、操作者が認識している系統操作と電力系統監視制御装置で実施する系統操作に矛盾がないかを操作者が再認識できる。従って、操作ミスによる誤操作のヒューマンエラーを防ぐことが可能となり、配電系統操作の信頼度を向上させることができる。
【００１９】
図４は本発明の第３の実施の形態に係わる電力系統監視制御装置の一例の構成図であり、図４では操作者の誤操作を防止する部分のみを示している。この第３の実施の形態は、作業計画された開閉器操作手順の開閉器操作を実施する場合に、停電操作やループ操作であれば注意喚起を音声出力により操作者へ通知できるようにしたものである。
【００２０】
開閉器操作手順入力手段２３は、監視制御の対象となる電力系統の作業計画された開閉器操作手順の実行前に操作手順画面より開閉器操作手順の入力を行うものであり、開閉器操作手順入力手段２３で入力された開閉器操作手順は、開閉器操作手順情報記憶部２４に記憶される。
【００２１】
図５は開閉器操作手順情報記憶部２４に記憶される開閉器操作手順の一例を示す説明図である。開閉器操作手順は、例えばＮＯ．１〜ＮＯ．ｎのｎ個の開閉器の入切の手順を定めたものである。開閉器操作手順は、ｎ個の開閉器の入切の手順を一つの情報としたものである。
【００２２】
開閉器操作手順模擬実行手段２５は配電系統データベース記憶部２０の配電系統データを使用し、開閉器操作手順情報記憶部２４に記憶された開閉器操作手順に基づき系統操作を模擬する。開閉器操作手順模擬実行手段２５で模擬した結果は音声出力手段２１に出力される。音声出力手段２１は音声出力パターンデータ記憶部２２に記憶された出力パターンから該当する出力パターンを取り出し、音声でガイドメッセージを出力する。
【００２３】
すなわち、作業計画された開閉器操作手順の系統操作を実施するために、操作者より開閉器操作手順入力手段２３より作業計画された開閉器操作手順の内容を開閉器操作手順情報記憶部２４に保存する。
【００２４】
開閉器操作手順模擬実行手段２５は、配電系統データベース記憶部２０の配電系統データを使用し、開閉器操作手順を模擬する。模擬実行結果音声出力手段２２は、その模擬した開閉器操作が停電操作やループ操作など音声出力パターンデータ記憶部２２の出力パターンのデータに一致するパターンを検出した場合は、音声出力で操作者へ系統操作内容を通知する。
【００２５】
第３の実施の形態によれば、作業計画された開閉器操作手順の系統操作の模擬実行結果を音声で出力するので、模擬した結果が停電操作やループ操作の場合、操作者へ注意喚起され、認識している系統操作と電力系統監視制御装置で実施する系統操作に矛盾がないかを操作者が再認識できる。従って、操作ミスによる誤操作のヒューマンエラーを防ぐことが可能となり、配電系統操作の信頼度を向上させることができる。
【００２６】
図６は本発明の第４の実施の形態に係わる電力系統監視制御装置の一例の構成図であり、図６では操作者の誤操作を防止する部分のみを示している。この第４の実施の形態は、図１に示した第１の実施の形態に対し、現場作業員による無線通信の音声を解析することによって操作者の誤操作を防止するようにしたものであり、音声入力手段１４、音声情報認識手段１５、音声入力開閉器情報記憶部１６に代えて、無線音声入力手段２６、無線指示事項抽出手段２７、オペレーション変換手段２８、オペレーション変換パターンデータベース記憶部２９、オペレーション変換データ記憶部３０を設けたものである。
【００２７】
系統操作入力手段１１は操作対象の開閉器を操作画面より選択するものであり、系統操作認識手段１２は系統操作入力手段１１により入力されたデータを操作開閉器情報として認識するものである。系統操作認識手段１２で認識された操作開閉器情報は操作開閉器情報記憶部１３に記憶される。
【００２８】
無線音声入力手段２６は現場作業員が操作対象の開閉器を音声で指示するものであり、無線指示事項抽出手段２７は無線音声入力手段２６で入力された音声から現場作業員による操作対象の開閉器に関する指示事項を抽出するものである。オペレーション変換手段２８は、オペレーション変換パターンデータベース記憶部２９のオペレーション変換データを参照して、無線指示事項抽出手段２７で抽出した操作対象の開閉器の操作内容をオペレーション変換データに変換するものである。
【００２９】
図７はオペレーション変換パターンデータベース記憶部２９のオペレーション変換パターンの一例の説明図である。操作対象の開閉器の操作内容につき一致するオペレーション変換パターンを選択し変換する。例えば、オペレーション変換パターン１〜オペレーション変換パターンＮにつき、表示画面名称、選択機器種別、操作対象目メニュー種別、音声認識パターン等の種別が一致するもの選択する。
【００３０】
オペレーション変換手段２８で変換されたオペレーション変換データはオペレーション変換データ記憶部３０に記憶される。図８はオペレーション変換データ記憶部３０のオペレーション変換データの一例の説明図である。操作機器番号が特定されている。
【００３１】
操作内容判断手段１７は、系統操作認識手段１３で認識された操作開閉器情報記憶部１３に記憶された操作開閉器情報と、オペレーション変換手段２８で変換されオペレーション変換データ記憶部３０に記憶されたオペレーション変換データとが一致するか否かを判断しその判断結果を通知手段１８に出力する。通知手段１８は操作内容判断手段１７の判断結果を操作者に通知する。
【００３２】
これにより、電力系統の作業時の操作において、現場作業員が認識する操作と遠隔操作を実施する操作者が認識している操作とに矛盾がないことを操作者に通知できる。
【００３３】
無線音声入力手段２６は無線通信でやり取りされる音声を取り込み、無線指示事項抽出手段２７は取り込んだ音声情報から系統操作にかかわる指示事項を抽出して認識する。オペレーション変換手段２８は、無線の通信内容から抽出した指示事項より、実施されると考えられるオペレーション内容をオペレーション変換パターンデータベース記憶部２９により取得し、オペレーション変換データ記憶部３０へ保存する。
【００３４】
操作内容判断手段１７は、系統操作入力手段１１より電力系統を遠隔操作する操作者が実施しようとする操作開閉器情報と、オペレーション変換データ記憶部３０に保存されている内容とが一致するか否かを判定し、その判定結果を通知手段１８に出力し判定結果を操作者に通知する。
【００３５】
以上の説明では、系統操作入力手段１１より電力系統を遠隔操作する操作者が実施しようとする操作開閉器情報と、オペレーション変換データ記憶部３０に保存されている内容とが一致するか否かを判定するようにしたが、図９に示すように、系統操作入力手段１１、系統操作認識手段１２、操作開閉器情報記憶部１３に代えて、音声入力手段１４、音声情報認識手段１５、音声入力開閉器情報記憶部１６を設け、音声入力手段１４より電力系統を遠隔操作する操作者が実施しようとする操作開閉器情報と、オペレーション変換データ記憶部３０に保存されている内容とが一致するか否かを判定するようにしてもよい。
【００３６】
第４の実施の形態によれば、電力系統の作業操作の実施時に、現場作業員と遠隔操作を行う操作者が認識している系統操作に矛盾がないかを遠隔操作を行う操作者が再認識できる。従って、操作ミスによる現場作業員の事故や認識不足によるヒューマンエラーを防ぐことが可能となり、配電系統操作の信頼度を向上させることができる。
【００３７】
図１０は本発明の第５の実施の形態に係わる電力系統監視制御装置の一例の構成図であり、図１０では操作者の誤操作を防止する部分のみを示している。この第５の実施の形態は、図１に示した第１の実施の形態に対し、系統操作入力手段１１、系統操作認識手段１２、操作開閉器情報記憶部１３に代えて、音声認識実行可否判定データベース登録手段３１、音声認識実行可否判定データベース記憶部３２、音声認識実行可否判定処理有効無効設定手段３３、音声認識実行可否判定処理有効無効データ記憶部３４を設け、操作者の入力操作に対応する音声認識実行可否判定処理のカスタマイズを可能としたものである。図１と同一要素には同一符号を付し重複する説明は省略する。
【００３８】
音声認識実行可否判定データベース登録手段３１は、操作者が発する音声を認識した結果を基に開閉器の各操作指示項目毎に実行可否を判断するための音声認識実行可否判定データを音声認識実行可否判定データベース記憶部３２に登録するものである。
【００３９】
図１１は音声認識実行可否判定データベース記憶部３２の音声認識実行可否判定データの一例の説明図である。複数個の実行可否判定パターン１〜実行可否判定パターンＮを有し、実行可否判定パターンは、操作実行種別、可否判定対象データ、可否判定結果通知種別、音声認識パターンから形成されている。
【００４０】
認識実行可否判定処理有効無効設定手段３３は、音声認識実行可否判定データベース記憶部３２の音声認識実行可否判定データに基づいて開閉器の各操作指示項目における実行可否を判断するための音声認識実行可否判定処理有効無効データを音声認識実行可否判定処理有効無効データ記憶部３４に設定するものである。
【００４１】
図１２は、音声認識実行可否判定処理有効無効データ記憶部３４の音声認識実行可否判定処理有効無効データの説明図である。実行可否パターン１〜実行可否パターンＮに対して、実行可否チェック、有効／無効データが設定されるようになっている。
【００４２】
操作者が実施する各操作指示項目毎に、操作者が発する音声を認識した結果を基に実行可否を判断するための音声認識実行可否判定データベース記憶部３２を、音声認識実行可否判定データベース登録手段３１によりユーザが入力指示項目毎にチェック内容を登録することを可能としている。また、音声認識実行可否判定処理有効無効設定手段３３によって音声認識実行可否判定処理有効無効データ記憶部３４に対して各操作指示項目における音声認識実行可否判定処理の有効無効をユーザーが設定できるようにしている。
【００４３】
操作内容判断手段１７は、音声認識実行可否判定データ及び音声認識実行可否判定処理有効無効データに基づいて音声情報認識手段１５で認識された音声入力開閉器情報の事項の可否判断を行い、その操作内容判断手段１７の判断結果は通知手段１８により操作者に通知される。
【００４４】
第５の実施の形態によれば、電力系統監視制御装置を運用しているユーザが容易に音声認識による操作入力可否チェックの内容をカスタマイズすることが可能となりメンテナンス性を向上させることができる。
【図面の簡単な説明】
【００４５】
【図１】本発明の第１の実施の形態に係わる電力系統監視制御装置の一例の構成図。
【図２】本発明の第２の実施の形態に係わる電力系統監視制御装置の一例の構成図。
【図３】本発明の第２の実施の形態における音声出力パターンデータ記憶部に記憶された出力パターンの一例の説明図。
【図４】本発明の第３の実施の形態に係わる電力系統監視制御装置の一例の構成図。
【図５】本発明の第３の実施の形態における開閉器操作手順情報記憶部に記憶される開閉器操作手順の一例を示す説明図。
【図６】本発明の第４の実施の形態に係わる電力系統監視制御装置の一例の構成図。
【図７】本発明の第４の実施の形態におけるオペレーション変換パターンデータベースのオペレーション変換パターンの一例の説明図。
【図８】本発明の第４の実施の形態におけるオペレーション変換データ記憶部のオペレーション変換データの一例の説明図。
【図９】本発明の第４の実施の形態に係わる電力系統監視制御装置の他の一例の構成図。
【図１０】本発明の第５の実施の形態に係わる電力系統監視制御装置の一例の構成図。
【図１１】本発明の第５の実施の形態における音声認識実行可否判定データベース記憶部の音声認識実行可否判定データの一例の説明図。
【図１２】本発明の第５の実施の形態における音声認識実行可否判定処理有効無効データ記憶部の音声認識実行可否判定処理有効無効データの説明図。
【符号の説明】
【００４６】
１１…系統操作入力手段、１２…系統操作認識手段、１３…操作開閉器情報記憶部、１４…音声入力手段、１５…音声情報認識手段、１６…音声入力開閉器情報記憶部、１７…操作内容判断手段、１８…通知手段、１９…模擬実行手段、２０…配電系統データベース記憶部、２１…音声出力手段、２２…音声出力パターンデータ記憶部、２３…開閉器操作手順入力手段、２４…開閉器操作手順情報記憶部、２５…開閉器操作手順模擬実行手段、２６…無線音声入力手段、２７…無線指示事項抽出手段、２８…オペレーション変換手段、２９…オペレーション変換パターンデータベース記憶部、３０…オペレーション変換データ記憶部、３１…音声認識実行可否判定データベース登録手段、３２…音声認識実行可否判定データベース記憶部、３３…音声認識実行可否判定処理有効無効設定手段、３４…音声認識実行可否判定処理有効無効データ記憶部
【図１】
2010142024.tif 000003
【図２】
2010142024.tif 000004
【図３】
2010142024.tif 000005
【図４】
2010142024.tif 000006
【図５】
2010142024.tif 000007
【図６】
2010142024.tif 000008
【図７】
2010142024.tif 000009
【図８】
2010142024.tif 000010
【図９】
2010142024.tif 000011
【図１０】
2010142024.tif 000012
【図１１】
2010142024.tif 000013
【図１２】
2010142024.tif 000014